(57)【要約】【課題】昇華転写において、転写紙及び転写対象物に対する押圧力を高めて印刷像を確実に転写し、転写品質を向上させると共に、製造コストを抑制する。【解決手段】昇華転写機１は、転写紙２０に印刷された印刷像を転写対象物である生地２０に転写するものであり、転写紙２０及び生地１０を重ねた状態で搬送する送出部１ａと、円筒状に形成され、複数の吸引孔２ｂが円周面に穿設され、内部の負圧により搬送された前記転写紙及び前記転写対象物を前記円周面に吸着するバキューム式ドラム２と、バキューム式ドラム２の円周面の周囲に設けられ、転写紙２０及び生地１０をバキューム式ドラム２の外側から加熱する遠赤外線ヒータ３とを備える。転写紙２０及び生地１０は、生地１０がバキューム式ドラム２の内周側となり、転写紙２０がバキューム式ドラム２の外周側となるように重ねられる。【選択図】図１
2016108697.tif 000002
【特許請求の範囲】
【請求項１】
転写紙に印刷された印刷像を転写対象物に転写する昇華転写機であって、
前記転写紙及び前記転写対象物を重ねた状態で搬送する搬送手段と、
円筒状に形成され、複数の吸引孔が円周面に穿設され、内部の負圧により搬送された前記転写紙及び前記転写対象物を前記円周面に吸着するドラムと、
前記ドラムの円周面の周囲に設けられ、前記転写紙及び前記転写対象物を前記ドラムの外側から加熱する加熱手段とを備えることを特徴とする昇華転写機。
【請求項２】
前記転写紙及び前記転写対象物は、該転写対象物が前記ドラムの内周側となり、前記転写紙が前記ドラムの外周側となるように重ねられることを特徴とする請求項１に記載の昇華転写機。
【請求項３】
前記ドラムの両側面が前記負圧を形成するためのバキュームモータの吸引側に連通することを特徴とする請求項１又は２に記載の昇華転写機。
【請求項４】
前記加熱手段は、遠赤外線ヒータであることを特徴とする請求項１、２又は３に記載の昇華転写機。
【発明の詳細な説明】
【技術分野】
【０００１】
本発明は、ドラムの回転に応じて転写紙の印刷像を生地に転写する昇華転写機に関する。
【背景技術】
【０００２】
従来、昇華転写を利用して布製品等に図柄や文字等の印刷像を印刷することが広く行われており、このような昇華転写を用いた昇華転写機として、転写作業を連続的に行うことができ、作業効率の高い輪転式昇華転写機が普及している。
【０００３】
従来の輪転式昇華転写機１０１は、例えば図２に示すように、転写対象物である生地１１０と転写する印刷像が印刷された転写紙１２０とアンダーペーパ１３０とが装着され、生地１１０、転写紙１２０及びアンダーペーパ１３０をガイドローラ１０５、１０４及び１０６を介して送り出す送出部１０１ａと、転写紙１２０に印刷された印刷像を生地１１０に昇華転写する転写部１０１ｂと、印刷像が転写された生地１１０、転写後の転写紙１２０及びアンダーペーパ１３０をガイドローラ１０７を介して巻き取る巻取部１０１ｃとで構成される。
【０００４】
転写部１０１ｂは、回転駆動することによって生地１１０、転写紙１２０及びアンダーペーパ１３０を重ねた状態で搬送するドラム１０２と、ドラム１０２の内部に設けられ、電熱線に電力を供給することにより転写紙１２０を内部から加熱する加熱手段としての電熱ヒータ１０３と、生地１１０、転写紙１２０及びアンダーペーパ１３０を巻取部１０１ｃへ案内するガイドローラ１０７と、ドラム１０２の回転駆動に応じて生地１１０、転写紙１２０及びアンダーペーパ１３０を加圧しながら搬送するためのフェルトベルト１４０と、フェルトベルト１４０を案内するフェルト用ローラ１４１（１４１ａ〜１４１ｅ）とを備える。
【０００５】
このような輪転式昇華転写機１０１においては、まず、転写紙１２０の印刷面が生地１１０に対向するようにして、生地１１０、転写紙１２０及びアンダーペーパ１３０を輪転式昇華転写機１０１の送出部１０１ａに装着する。送出部１０１ａに装着された生地１１０、転写紙１２０及びアンダーペーパ１３０は、ガイドローラ１０５、１０４及び１０６を介して転写部１０１ｂに送り出される。
【０００６】
次に、転写部１０１ｂに送り出された生地１１０、転写紙１２０及びアンダーペーパ１３０は、ドラム１０２とフェルトベルト１４０との間に重なった状態で搬送される共に、フェルトベルト１４０の張力によってドラム１０２の外周面に押圧され、電熱ヒータ１０３によるドラム１０２の内部からの熱によって転写紙１２０側から２００℃程度に加熱される。そして、加熱によって転写紙１２０のインクが昇華し、気化したインクが生地１１０に定着することにより、転写紙１２０に印刷された印刷像が生地１１０に転写される。尚、生地１１０、転写紙１２０及びアンダーペーパ１３０は、転写紙１２０が最内周側（後述するドラム１０２側）となり、アンダーペーパ１３０が最外周側となるように装着される。
【０００７】
ここで、アンダーペーパ１３０は、昇華転写の際にフェルトベルト１４０が気化したインクで汚れるのを防ぐために設けられる。これは、アンダーペーパ１３０を使用しないと、気化したインクが生地１１０に浸透した際に、インクが生地１１０の裏側から抜けてフェルトベルト１４０に汚れとして付着し、フェルトベルト１４０が１周した後に、汚れの原因であるインクが加熱によって再昇華し、印刷像として生地１１０に転写される「ゴースト現象」を引き起こす虞があるためである。
【０００８】
印刷像が転写された生地１１０、転写後の転写紙１２０及びアンダーペーパ１３０は、ガイドローラ１０７を介して巻取部１０１ｃに搬送され、巻取部１０１ｃにおいて各々が巻き取られる。
【発明の概要】
【発明が解決しようとする課題】
【０００９】
しかし、従来の輪転式昇華転写機では、フェルトベルトの張力のみで転写紙及び生地を加圧するため、転写紙及び生地に対する押圧力が弱く、転写された印刷像が不鮮明になる虞がある。そのため、転写紙及び生地への押圧力に対して改善の余地があった。
【００１０】
また、従来の輪転式昇華転写機では、「ゴースト現象」を抑制するためにアンダーペーパを使用する必要があると共に、アンダーペーパを再利用することができないため、製造コストが上昇するという問題があった。
【００１１】
さらに、アンダーペーパを使用せずに昇華転写を行うと、昇華転写の際にインクが汚れとしてフェルトベルトに付着して「ゴースト現象」を引き起し、確実かつ高品質な転写を行うことが困難であるという問題があった。
【００１２】
そこで、本発明は、上記従来の技術における問題点に鑑みてなされたものであって、転写紙及び転写対象物に対する押圧力を高めて印刷像を確実に転写し、転写品質を向上させると共に、製造コストを抑制することが可能な昇華転写機を提供することを目的とする。
【課題を解決するための手段】
【００１３】
上記目的を達成するため、本発明は、転写紙に印刷された印刷像を転写対象物に転写する昇華転写機であって、前記転写紙及び前記転写対象物を重ねた状態で搬送する搬送手段と、円筒状に形成され、複数の吸引孔が円周面に穿設され、内部の負圧により搬送された前記転写紙及び前記転写対象物を前記円周面に吸着するドラムと、前記ドラムの円周面の周囲に設けられ、前記転写紙及び前記転写対象物を前記ドラムの外側から加熱する加熱手段とを備えることを特徴とする。
【００１４】
本発明によれば、ドラムによって転写紙及び転写対象物を吸着して加圧するため、転写紙及び転写対象物に対する押圧力を高めて印刷像を確実に転写することができる。また、従来の昇華転写機に設けられた、転写対象物及び転写紙を加圧するためのフェルトベルトが不要となるため、フェルトベルトを使用する場合に、フェルトベルトの汚れが昇華転写の際にドラムに付着し、ドラムの輪転によって付着したインク等の汚れが再昇華して転写対象物に転写される「ゴースト現象」を抑制することができる。
【００１５】
上記昇華転写機において、前記転写紙及び前記転写対象物を、該転写対象物が前記ドラムの内周側となり、前記転写紙が前記ドラムの外周側となるように重ねることができる。これにより、昇華した気体状のインクを転写対象物に対して効率的に定着させることができる。
【００１６】
上記昇華転写機において、前記ドラムの両側面を前記負圧を形成するためのバキュームモータの吸引側に連通させることができる。これにより、転写紙及び転写対象物をドラムの円周面へ略々均一な押圧力で吸着することができ、印刷ムラを抑制することができる。
【００１７】
上記昇華転写機において、前記加熱手段を遠赤外線ヒータとすることができる。
【発明の効果】
【００１８】
以上のように、本発明によれば、転写紙及び転写対象物に対する押圧力を高めて印刷像を確実に転写し、転写品質を向上させると共に、製造コストを抑制することが可能になる。
【図面の簡単な説明】
【００１９】
【図１】本発明に係る昇華転写機の一実施の形態を示す外観図であり、（ａ）は正面図、（ｂ）は右側面図である。
【図２】従来の昇華転写機の一実施の形態を示す外観図であり、（ａ）は正面図、（ｂ）は右側面図である。
【発明を実施するための形態】
【００２０】
次に、本発明を実施するための形態について、図面を参照しながら詳細に説明する。
【００２１】
図１は、本発明に係る昇華転写機の一実施の形態を示し、この昇華転写機１は、輪転式の昇華転写機であり、転写対象物である生地１０と転写する図柄や文字等の印刷像が印刷された転写紙２０とが装着され、生地１０及び転写紙２０を送り出す搬送手段としての送出部１ａと、転写紙２０に印刷された印刷像を生地１０に昇華転写する転写部１ｂと、印刷像が転写された生地１０及び転写後の転写紙２０を巻き取る巻取部１ｃとからなる。
【００２２】
送出部１ａには、上述した生地１０及び転写紙２０が装着される。生地１０及び転写紙２０の各々は、ガイドローラ４及び５に案内されて転写部１ｂへ送り出される。このとき、生地１０及び転写紙２０は、生地１０が内周側（後述するバキューム式ドラム２側）となり、転写紙２０が外周側となるように装着される。
【００２３】
転写紙２０には、転写する印刷像が反転した状態で印刷され、生地１０及び転写紙２０を転写部１ｂへ送り出す際には、転写紙２０の印刷面が生地１０に対向するようにして生地１０及び転写紙２０を重ね合わせる。尚、転写紙２０に対して印刷する場合には、例えばインクジェット式やトナー式のプリンタ（不図示）を用いることができ、印刷用のインクとしては、例えば昇華染料を用いることができる。
【００２４】
転写部１ｂは、生地１０及び転写紙２０を吸着して所定の圧力をかけるバキューム式ドラム２と、転写紙２０を加熱する加熱手段としての遠赤外線ヒータ３と、印刷像が転写された生地１０及び転写後の転写紙２０を巻取部１ｃへ案内するガイドローラ６と、バキューム式ドラム２において生地１０及び転写紙２０を吸着する際の空気の吸引を制御するバキュームモータ３０とを備える。
【００２５】
バキューム式ドラム２は、例えば円筒状に形成され、円周面に多数の吸引孔２ｂが穿設される。また、バキューム式ドラム２は、側面にバキューム用パイプ２ａが接続され、吸引孔２ｂを介して、内部の負圧により送出部１ａから送り出された生地１０及び転写紙２０が重なった状態で吸着し、生地１０及び転写紙２０に対して所定の圧力をかけた状態（加圧状態）を維持する。
【００２６】
バキューム用パイプ２ａは、バキューム式ドラム２の両側面に接続することが好ましく、円周面に対して両側から吸引することにより、バキューム式ドラム２の円周面全体にわたって略々均一に吸引できるからである。尚、小型の昇華転写機１等の場合には、バキューム式ドラム２の片方の側面にのみバキューム用パイプ２ａを接続して、吸引してもよい。
【００２７】
また、バキューム式ドラム２は、回転駆動することによって吸着した生地１０及び転写紙２０が重なった状態で巻取部１ｃへ搬送する。このとき、転写紙２０に印刷された印刷像は、後述する遠赤外線ヒータ３によって加熱されることによってインクが昇華し、気化したインクが転写紙２０に重ねられた生地１０に定着して転写される。
【００２８】
遠赤外線ヒータ３は、バキューム式ドラム２に吸着された転写紙２０を加熱する加熱手段であり、バキューム式ドラム２の外周方向に設けられ、遠赤外線により生地１０及び転写紙２０に対して外側（転写紙２０側）から加熱する。尚、加熱手段としてはこれに限られず、例えば、バキューム式ドラム２の外周方向から加熱することが可能であれば、これ以外のものを用いてもよい。
【００２９】
巻取部１ｃは、ガイドローラ６を介して搬送された、印刷像が転写された生地１０及び転写後の転写紙２０を巻き取る。
【００３０】
次に、上記構成を有する昇華転写機１の動作について説明する。まず、転写紙２０の印刷面が生地１０に対向するようにして、生地１０及び転写紙２０を昇華転写機１の送出部１ａに装着する。送出部１ａに装着された生地１０及び転写紙２０は、ガイドローラ４、５を介して転写部１ｂに送り出される。
【００３１】
次に、転写部１ｂに送り出された生地１０及び転写紙２０は、上述のように転写紙２０の印刷面と生地１０とが重なった状態でバキューム式ドラム２に吸着され、遠赤外線ヒータ３からの遠赤外線によって転写紙２０側から２００℃程度に加熱される。そして、転写紙２０に印刷された印刷像が生地１０に昇華転写される。尚、昇華転写の際にガスが発生するが、本実施の形態では、この発生したガスをバキュームモータ３０によって吸い取り、屋外へ排出することができる。
【００３２】
ここで、生地１０及び転写紙２０は、生地１０が内周側となり、転写紙２０が外周側となるように転写部１ｂに搬送されるため、遠赤外線ヒータ３によって転写紙２０が加熱されて昇華した気体状のインクは、バキューム式ドラム２によって吸引される空気と共に吸引方向に向かう。これにより、昇華した気体状のインクを生地１０に対して効率的に定着させることができる。
【００３３】
印刷像が転写された生地１０及び転写後の転写紙２０は、ガイドローラ６を介して巻取部１ｃに搬送され、巻取部１ｃにおいて各々が巻き取られる。
【００３４】
このように、本実施の形態に係る昇華転写機１では、バキューム式ドラムの吸引力によって生地及び転写紙をドラムの円周面に押圧して印刷像を転写するため、印刷像を確実に転写することができ、また、インクを生地に対して確実に浸透させることができ、生地の風合いを損なうことなく鮮明な印刷像を得ることができる。
【００３５】
また、バキューム式ドラム２によって生地１０及び転写紙２０を吸着して加圧するため、従来の昇華転写機に設けられた、生地１０及び転写紙２０を加圧するためのフェルトベルトが不要となる。そのため、従来、フェルトベルトの汚れが昇華転写の際にドラムに付着し、ドラムの輪転によって付着したインク等の汚れが再昇華して生地１０に転写される「ゴースト現象」を招く虞があったが、本実施の形態によれば、フェルトベルトが不要となるため、このような「ゴースト現象」を抑制することができる。
【００３６】
さらに、従来では、「ゴースト現象」を抑制するために、重ねられた生地１０及び転写紙２０と、フェルトベルトとの間にアンダーペーパをさらに重ねる必要があったが、本実施の形態では、フェルトベルトが不要となりドラムに汚れが付着することがないため、アンダーペーパが不要となり、製造コストを抑制することができる。
【符号の説明】
【００３７】
１  昇華転写機
１ａ  送出部
１ｂ  転写部
１ｃ  巻取部
２  バキューム式ドラム
２ａ  バキューム用パイプ
３  遠赤外線ヒータ
４、５、６  ガイドローラ
１０  生地
２０  転写紙
３０  バキュームモータ
【図１】
2016108697.tif 000003
【図２】
2016108697.tif 000004